(57)【特許請求の範囲】
【請求項１】
前後左右の四隅に配される支柱を介して枠形成体が上下に設けられてこの上下の枠形成体間に引出しケース収納部が設けられる枠状本体部と、この枠状本体部の前記引出しケース収納部に引き出し自在に設けられる引出しケースとからなる引き出し式収納ケースにおいて、前後の前記支柱と上下の前記枠形成体とで囲まれた前記枠状本体部の側面開口部を閉塞する側面閉塞板が備えられ、上下の前記枠形成体の一方に対して前記側面閉塞板の上下端部の一方を傾動回動自在に連結する第一連結手段が備えられているとともに、この第一連結手段を介して前記枠形成体に連結した前記側面閉塞板を傾動回動させた際、前記側面閉塞板の上下端部の他方が上下の前記枠形成体の他方と乗り越え係合する第二連結手段が備えられており、前記側面閉塞板は、前記枠状本体部の前記側面開口部と合致する大きさ及び形状として、前記枠状本体部の前記側面開口部を隙間なく閉塞するように構成されていると共に、前記引出しケース内に収納し得る大きさに設定されていることを特徴とする引き出し式収納ケース。
【請求項２】
前記第一連結手段は、上下の前記枠形成体の一方に設けられた第一側面係止部に遊嵌係合する第一側面係合部が前記側面閉塞板の上下端部の一方に設けられた構成であることを特徴とする請求項１記載の引き出し式収納ケース。
【請求項３】
前記第一側面係止部は、上下の前記枠形成体同士の互いに対向する側面側内縁部の一方に凹状部若しくは凸状部を設けて構成され、この第一側面係止部に遊嵌係合する凸状部若しくは凹状部を前記側面閉塞板の上下端部の一方に設けて前記第一側面係合部は構成されていることを特徴とする請求項２記載の引き出し式収納ケース。
【請求項４】
前記第二連結手段は、前記側面閉塞板の上下端部の他方に設けられた第二側面係止部と乗り越え係合する第二側面係合部が上下の前記枠形成体の他方に設けられた構成であることを特徴とする請求項１〜３のいずれか１項に記載の引き出し式収納ケース。
【請求項５】
前記第一連結手段を介して前記枠形成体に連結した前記側面閉塞板を傾動回動させた際、前記第二側面係合部若しくは前記第二側面係止部が乗り上がり摺動する上り傾斜部と、この上り傾斜部を乗り越えた際に落ち込み係合する落ち込み部が前記第二側面係止部若しくは前記第二側面係合部に設けられていることを特徴とする請求項４記載の引き出し式収納ケース。
【請求項６】
前記側面閉塞板は、前記枠状本体部の前記側面開口部を閉塞した際、前記支柱及び上下の前記枠形成体夫々と面一状態となる形状に設定されていることを特徴とする請求項１〜５のいずれか１項に記載の引き出し式収納ケース。
【請求項７】
左右の前記支柱と上下の前記枠形成体とで囲まれた前記枠状本体部の背面開口部を閉塞する背面閉塞板が備えられ、上下の前記枠形成体の一方に対して前記背面閉塞板の上下端部の一方を傾動回動自在に連結する第三連結手段が備えられているとともに、この第三連結手段を介して前記枠形成体に連結した前記背面閉塞板を傾動回動させた際、前記背面閉塞板の上下端部の他方が上下の前記枠形成体の他方と乗り越え係合する第四連結手段が備えられていることを特徴とする請求項１〜６のいずれか１項に記載の引き出し式収納ケース。
【請求項８】
前記第三連結手段は、上下の前記枠形成体の一方に設けられた第一背面係止部に遊嵌係合する第一背面係合部が前記背面閉塞板の上下端部の一方に設けられた構成であることを特徴とする請求項７記載の引き出し式収納ケース。
【請求項９】
前記第一背面係止部は、上下の前記枠形成体同士の互いに対向する側面側内縁部の一方に凹状部若しくは凸状部を設けて構成され、この第一背面係止部に遊嵌係合する凸状部若しくは凹状部を前記背面閉塞板の上下端部の一方に設けて前記第一背面係合部は構成されていることを特徴とする請求項８記載の引き出し式収納ケース。
【請求項１０】
前記第四連結手段は、前記背面閉塞板の上下端部の他方に設けられた第二背面係止部と乗り越え係止する第二背面係合部が上下の前記枠形成体の他方に設けられた構成であることを特徴とする請求項７〜９のいずれか１項に記載の引き出し式収納ケース。
【請求項１１】
前記第三連結手段を介して前記枠形成体に連結した前記背面閉塞板を傾動回動させた際、前記第二背面係合部若しくは前記第二背面係止部が乗り上がり摺動する上り傾斜部と、この上り傾斜部を乗り越えた際に落ち込み係合する落ち込み部とが前記第二背面係止部若しくは前記第二背面係合部に設けられていることを特徴とする請求項１０記載の引き出し式収納ケース。
【請求項１２】
前記背面閉塞板は、前記枠状本体部の前記背面開口部と合致する大きさ及び形状であることを特徴とする請求項７〜１１のいずれか１項に記載の引き出し式収納ケース。
【請求項１３】
前記背面閉塞板は、前記枠状本体部の前記背面開口部を閉塞した際、前記支柱及び上下の前記枠形成体夫々と面一状態となる形状に設定されていることを特徴とする請求項７〜１２のいずれか１項に記載の引き出し式収納ケース。
【請求項１４】
前記枠形成体のうち最上段の枠形成体は天板体であり、その他の枠形成体は前記引出しケースを受ける受体であり、前記支柱は前記受体の中央開口部に分離自在に該受体と同時成形したものであることを特徴とする請求項１〜１３のいずれか１項に記載の引き出し式収納ケース。
【請求項１５】
前記枠状本体部は、前記支柱を介して少なくとも３つ以上の枠形成体が上下に設けられてこの上下の各枠体形成体間に引き出しケース収納部が設けられた構成であり、この各引出しケース収納部夫々に引き出し自在に設けられる前記引出しケース同士は、上部開口部を有して一の引出しケースの上部開口部から他の引出しケースを入れ子状態に上下に積層し得るように構成されていることを特徴とする請求項１〜１４のいずれか１項に記載の引き出し式収納ケース。
【請求項１６】
前記枠状本体部は、前後左右の四隅に配される支柱夫々の上下両端の差し込み端部を上下に配される枠形成体夫々の差し込み係合部に差し込んで該枠形成体が前記支柱を介して上下に組み付け構築される構成であることを特徴とする請求項１〜１５のいずれか１項に記載の引き出し式収納ケース。
【発明の詳細な説明】
【技術分野】
【０００１】
本発明は、引き出し式収納ケースに関するものである。
【背景技術】
【０００２】
本出願人は、衣類や雑貨などを収納する収納ケースとして、例えば特開２０１４−１４４１４３に開示される収納ケース（以下、従来例という。）を提案している。
【０００３】
これら従来例は、上面開口部を有する引き出しケース体を、ケース本体の正面開口部から引き出し自在に設けた所謂引き出し式収納ケースであり、例えば部屋のコーナーに配置したり押入れ内に配置したりなど、奥行きスペースを有効に利用した収納が可能であり非常に便利である。
【先行技術文献】
【特許文献】
【０００４】
【特許文献１】特開２０１４−１４４１４３号公報
【発明の概要】
【発明が解決しようとする課題】
【０００５】
本発明は、前述した引き出し式収納ケースについて更なる研究開発を進め、その結果、極めて商品価値の高い画期的な引き出し式収納ケースを開発した。
【課題を解決するための手段】
【０００６】
添付図面を参照して本発明の要旨を説明する。
【０００７】
前後左右の四隅に配される支柱１を介して枠形成体２が上下に設けられてこの上下の枠形成体２間に引出しケース収納部３が設けられる枠状本体部４と、この枠状本体部４の前記引出しケース収納部３に引き出し自在に設けられる引出しケース５とからなる引き出し式収納ケースにおいて、前後の前記支柱１と上下の前記枠形成体２とで囲まれた前記枠状本体部４の側面開口部６を閉塞する側面閉塞板７が備えられ、上下の前記枠形成体２の一方に対して前記側面閉塞板７の上下端部の一方を傾動回動自在に連結する第一連結手段が備えられているとともに、この第一連結手段を介して前記枠形成体２に連結した前記側面閉塞板７を傾動回動させた際、前記側面閉塞板７の上下端部の他方が上下の前記枠形成体２の他方と乗り越え係合する第二連結手段が備えられており、前記側面閉塞板７は、前記枠状本体部４の前記側面開口部６と合致する大きさ及び形状として、前記枠状本体部４の前記側面開口部６を隙間なく閉塞するように構成されていると共に、前記引出しケース５内に収納し得る大きさに設定されていることを特徴とする引き出し式収納ケースに係るものである。
【０００８】
また、前記第一連結手段は、上下の前記枠形成体２の一方に設けられた第一側面係止部８に遊嵌係合する第一側面係合部９が前記側面閉塞板７の上下端部の一方に設けられた構成であることを特徴とする請求項１記載の引き出し式収納ケースに係るものである。
【０００９】
また、前記第一側面係止部８は、上下の前記枠形成体２同士の互いに対向する側面側内縁部の一方に凹状部若しくは凸状部を設けて構成され、この第一側面係止部８に遊嵌係合する凸状部若しくは凹状部を前記側面閉塞板７の上下端部の一方に設けて前記第一側面係合部９は構成されていることを特徴とする請求項２記載の引き出し式収納ケースに係るものである。
【００１０】
また、前記第二連結手段は、前記側面閉塞板７の上下端部の他方に設けられた第二側面係止部10と乗り越え係合する第二側面係合部11が上下の前記枠形成体２の他方に設けられた構成であることを特徴とする請求項１〜３のいずれか１項に記載の引き出し式収納ケースに係るものである。
【００１１】
また、前記第一連結手段を介して前記枠形成体２に連結した前記側面閉塞板７を傾動回動させた際、前記第二側面係合部11若しくは前記第二側面係止部10が乗り上がり摺動する上り傾斜部10ａと、この上り傾斜部10ａを乗り越えた際に落ち込み係合する落ち込み部10ｂが前記第二側面係止部10若しくは前記第二側面係合部11に設けられていることを特徴とする請求項４記載の引き出し式収納ケースに係るものである。
【００１２】
また、前記側面閉塞板７は、前記枠状本体部４の前記側面開口部６を閉塞した際、前記支柱１及び上下の前記枠形成体２夫々と面一状態となる形状に設定されていることを特徴とする請求項１〜５のいずれか１項に記載の引き出し式収納ケースに係るものである。
【００１３】
また、左右の前記支柱１と上下の前記枠形成体２とで囲まれた前記枠状本体部４の背面開口部12を閉塞する背面閉塞板13が備えられ、上下の前記枠形成体２の一方に対して前記背面閉塞板13の上下端部の一方を傾動回動自在に連結する第三連結手段が備えられているとともに、この第三連結手段を介して前記枠形成体２に連結した前記背面閉塞板13を傾動回動させた際、前記背面閉塞板13の上下端部の他方が上下の前記枠形成体２の他方と乗り越え係合する第四連結手段が備えられていることを特徴とする請求項１〜６のいずれか１項に記載の引き出し式収納ケースに係るものである。
【００１４】
また、前記第三連結手段は、上下の前記枠形成体２の一方に設けられた第一背面係止部14に遊嵌係合する第一背面係合部15が前記背面閉塞板13の上下端部の一方に設けられた構成であることを特徴とする請求項７記載の引き出し式収納ケースに係るものである。
【００１５】
また、前記第一背面係止部14は、上下の前記枠形成体２同士の互いに対向する側面側内縁部の一方に凹状部若しくは凸状部を設けて構成され、この第一背面係止部14に遊嵌係合する凸状部若しくは凹状部を前記背面閉塞板13の上下端部の一方に設けて前記第一背面係合部15は構成されていることを特徴とする請求項８記載の引き出し式収納ケースに係るものである。
【００１６】
また、前記第四連結手段は、前記背面閉塞板13の上下端部の他方に設けられた第二背面係止部16と乗り越え係止する第二背面係合部17が上下の前記枠形成体２の他方に設けられた構成であることを特徴とする請求項７〜９のいずれか１項に記載の引き出し式収納ケースに係るものである。
【００１７】
また、前記第三連結手段を介して前記枠形成体２に連結した前記背面閉塞板13を傾動回動させた際、前記第二背面係合部17若しくは前記第二背面係止部16が乗り上がり摺動する上り傾斜部16ａと、この上り傾斜部16ａを乗り越えた際に落ち込み係合する落ち込み部16ｂとが前記第二背面係止部16若しくは前記第二背面係合部17に設けられていることを特徴とする請求項１０記載の引き出し式収納ケースに係るものである。
【００１８】
また、前記背面閉塞板13は、前記枠状本体部４の前記背面開口部12と合致する大きさ及び形状であることを特徴とする請求項７〜１１のいずれか１項に記載の引き出し式収納ケースに係るものである。
【００１９】
また、前記背面閉塞板13は、前記枠状本体部４の前記背面開口部12を閉塞した際、前記支柱１及び上下の前記枠形成体２夫々と面一状態となる形状に設定されていることを特徴とする請求項７〜１２のいずれか１項に記載の引き出し式収納ケースに係るものである。
【００２０】
また、前記枠形成体２のうち最上段の枠形成体２は天板体であり、その他の枠形成体２は前記引出しケース５を受ける受体であり、前記支柱１は前記受体の中央開口部２ｂに分離自在に該受体と同時成形したものであることを特徴とする請求項１〜１３のいずれか１項に記載の引き出し式収納ケースに係るものである。
【００２１】
また、前記枠状本体部４は、前記支柱１を介して少なくとも３つ以上の枠形成体２が上下に設けられてこの上下の各枠体形成体２間に引き出しケース収納部３が設けられた構成であり、この各引出しケース収納部３夫々に引き出し自在に設けられる前記引出しケース５同士は、上部開口部５’を有して一の引出しケース５の上部開口部５’から他の引出しケース５を入れ子状態に上下に積層し得るように構成されていることを特徴とする請求項１〜１４のいずれか１項に記載の引き出し式収納ケースに係るものである。
【００２２】
また、前記枠状本体部４は、前後左右の四隅に配される支柱１夫々の上下両端の差し込み端部１ａを上下に配される枠形成体２夫々の差し込み係合部２ａに差し込んで該枠形成体２が前記支柱１を介して上下に組み付け構築される構成であることを特徴とする請求項１〜１５のいずれか１項に記載の引き出し式収納ケースに係るものである。
【発明の効果】
【００２３】
本発明は上述のように構成したから、組み立て作業が極めて迅速且つ良好に行え、しかも、体裁が良く機能面においても秀れるなど、極めて商品価値の高い画期的な引き出し式収納ケースとなる。
【図面の簡単な説明】
【００２４】
【図１】本実施例を示す斜視図である。
【図２】本実施例を示す斜視図である。
【図３】本実施例の要部の分解斜視図である。
【図４】本実施例の要部の説明図である。
【図５】本実施例の要部の分解斜視図である。
【図６】本実施例の要部の説明図である。
【図７】本実施例の要部の動作説明図である。
【図８】本実施例の要部の動作説明図である。
【図９】本実施例の梱包状態の説明図である。
【図１０】本実施例の梱包状態の説明図である。
【発明を実施するための形態】
【００２５】
好適と考える本発明の実施形態（発明をどのように実施するか）を、図面に基づいて本発明の作用を示して簡単に説明する。
【００２６】
枠状本体部４の側面開口部６を側面閉塞板７で閉塞する場合、第一連結手段を介して上下の枠形成体２の一方に対して側面閉塞板７の上下端部の一方を傾動回動自在に連結し、この状態で、枠形成体２に連結した側面閉塞板７を傾動回動させた際、第二連結手段を介して側面閉塞板７の上下端部の他方が上下の枠形成体２の他方と乗り越え係合する。
【００２７】
つまり、側面閉塞板７を上下の枠形成体２の一方に連結した状態で傾動回動させるだけの動作で、該側面閉塞板７を枠状本体部４の側面開口部６に設けることができ、所謂ワンタッチで迅速且つ確実に枠状本体部４の側面開口部６を側面閉塞板７で閉塞することができる。
【００２８】
また、本発明は、枠状本体部４の側面開口部６が側面閉塞板７で閉塞されることで、スッキリとした美感を呈して体裁が良く、しかも、引出しケース収納部３内への埃の侵入を抑制し得るなど、優れた機能を発揮することになる。
【００２９】
従って、引き出し式収納ケースの組み立て作業が極めて迅速且つ良好に行え、しかも、体裁が良く機能面においても秀れることになる。
【実施例】
【００３０】
本発明の具体的な実施例について図面に基づいて説明する。
【００３１】
本実施例は、前後左右の四隅に配される支柱１を介して枠形成体２が上下に設けられてこの上下の枠形成体２間に引出しケース収納部３が設けられる枠状本体部４と、この枠状本体部４の引出しケース収納部３に引き出し自在に設けられる引出しケース５とからなる引き出し式収納ケースである。尚、本実施例では後述するように合計３つの引出しケース５が引き出し自在に設けられる所謂三段構造の引き出し式収納ケースであるが、一段でも２段でも４段以上の構造でも良い。
【００３２】
以下、本実施例に係る構成各部について詳細な説明をする。
【００３３】
枠状本体部４は、図１，２に図示ししたように適宜な合成樹脂製の部材で形成されたものであり、前後左右の四隅に配される支柱１夫々の上下両端の差し込み端部１ａを、上下に配される枠形成体２夫々の差し込み係合部２ａに差し込んで該枠形成体２が支柱１を介して上下に組み付け構築される構成である。
【００３４】
本実施例では、枠状本体部４は、支柱１を介して合計４つの枠形成体２が上下に設けられてこの上下の各枠体形成体２間に合計三つの引き出しケース収納部３が設けられた構成であり、この枠形成体２のうち最上段の枠形成体２は天板体であり、その他の枠形成体２は引出しケース５を受ける受体であり、支柱１は受体としての枠形成体２の中央開口部２ｂに分離自在に該枠形成体２（受体）と同時成形したものである。
【００３５】
具体的には、図５，６に図示したように、この枠形成体２と同時成形された支柱１をこの枠形成体２の中央開口部２ｂから取り外し、この支柱１の下側に設けられた差し込み端部１ａを枠形成体２上面側の差し込み係合部２ａに差し込み、上側の差し込み端部１ａをこの枠形成体２の上側に配設する上側の枠形成体２の裏面側の差し込み係合部２ａに差し込み枠状本体部４を組み付け構築するように構成している。
【００３６】
本実施例では、枠形成体２の四隅に角筒状の連結筒を一体成形し、この連結筒の途中に底部を形成して、上面側と裏面側に支柱１のこれと同形に形成した差し込み端部１ａを内側に差し込む差し込み係合部２ａを設けている。
【００３７】
即ち、本実施例では、枠形成体２の上面側の差し込み係合部２ａとその裏面側の差し込み係合部２ａとを同形とすると共に、これに差し込み係止する支柱１の下端の差し込み端部１ａも上端の差し込み端部１ａも同形とした構成としている。尚、天板を構成する枠形成体２は、上面側には差し込み係合部２ａを設けず裏面側のみ差し込み係合部２ａを設けている。
【００３８】
また、本実施例では、ユーザーが組み付け構築し易いように、前述のように支柱１の上側の差し込み端部１ａの形状と下側の差し込み端部１ａの形状を同一に設定すると共に、この各差し込み端部１ａが差し込まれる枠形成体２の上面側の差し込み係合部２ａと裏面側の差し込み係合部２ａの形状を同一に設定している。
【００３９】
従って、本実施例では、前後左右の１種類合計４本の支柱１を、その枠形成体２の中央開口部２ｂスペースを利用して枠形成体２と共に同時成形し、組み付け構築する際にこれら支柱１を取り外して順次枠形成体２に差し込み係止して構築するように構成している。
【００４０】
また、本実施例では、枠形成体２の中央開口部２ｂの縁部にランナー部２ｃを設けて、この中央開口部２ｂ内に架設状態に支柱１を複数並設状態に設け、ランナー部２ｃは、中央開口部２ｂの縁部から先端側程径小となる膨出状態に突出する形状に設定した膨出先端部２ｃ’で構成し、この膨出先端部２ｃ’から更に先端側程径小となる小突起状の小ランナー部２ｃ”を介して支柱１に溶融樹脂が支柱用キャビティーに注入され支柱１が枠形成体２と同時に樹脂成形されるように構成している。
【００４１】
このランナー部２ｃを膨出先端部２ｃ’により構成したことで、中央開口部２ｂの縁部と支柱１の端部とを離間させながらもこのランナー部２ｃが必ず縁部側に残るように構成している。
【００４２】
即ち、支柱１を回動させることでこの膨出先端部２ｃ’若しくは膨出先端部２ｃ’に設けた小ランナー部２ｃ”の先端から切断分離され、この膨出先端部２ｃ’及び小ランナー部２ｃ”を枠形成体２の中央開口部２ｂの縁部に残したまま各支柱１を取り外せるように構成している。
【００４３】
更に説明すると、中央開口部スペースを利用して四本の支柱１をランナー部２ｃを介して枠形成体２と共に同時形成するが、成形後支柱１を取り外し操作し易いように、中央開口部２ｂと支柱１との間隔を保つものの、支柱１のゲート部分を近づけるために、ランナー部２ｃとして膨出先端部２ｃ’を形成するが、この膨出先端部２ｃ’を先端側程径大となる膨出形状とすることで、支柱１を取り外す際にこの支柱１を回動する際に伝わるねじれ強度を大きくしてこの膨出先端部２ｃ’がバリとして支柱１の方に残らずに中央開口部２ｂの縁部に残るようにしている。
【００４４】
具体的には膨出先端部２ｃを円弧状に盛り出たような形状とし、更にはその突出縁に円弧状にリブを形成して、その剛性を高め、ねじれ強度を大きくし、支柱１へのゲート部分（突出するランナー部２ｃ）が支柱１に近づくようにしつつねじれ強度を上げて、決して支柱１のバリとしてこのゲート部分（ランナー部２ｃ）が支柱１と一緒に取り去られないようにしている。
【００４５】
しかも本実施例では更にこの膨出先端部２ｃ’の突出先端部に先端側程径小な小ランナー部２ｃ”を設けて、この小ランナー部２ｃ”を介して支柱１に溶融樹脂を送り込むようにしているため、非常に支柱１を回し取り易く、バリが残らずきれいに取り外せるようにしている。
【００４６】
即ち、この大きな膨出先端部２ｃはねじれ強度を高めて中央開口部２ｂの縁部との接合強度を高くすることで、この膨出先端部２ｃ’は縁部から取り外れず必ず縁部に残るように構成して、たとえバリが出るとしてもこれよりも極めて径小で短い小ランナー部２ｃ”としている。
【００４７】
しかも本実施例では、この小ランナー部２ｃ”も小さく短い形状ながらも膨出先端部２ｃ’側が太く、支柱１先端面側を細くしているため、この小ランナー部２ｃ”も膨出先端部２ｃ’側に残り支柱１と共に外れてバリとならないように構成し、支柱１を手で回し易くすると共に、確実に全くバリが生じずきれいに手で回し取れるようにしている。
【００４８】
また、本実施例は、左右両側面における前後の支柱１と上下の枠形成体２とで囲まれた枠状本体部４の左右の側面開口部６夫々を閉塞する合計六枚の側面閉塞板７が備えられ、上下の枠形成体２の一方に対して側面閉塞板７の上下端部の一方を傾動回動自在に連結する第一連結手段が備えられているとともに、この第一連結手段を介して枠形成体２に連結した側面閉塞板７を傾動回動させた際、側面閉塞板７の上下端部の他方が上下の枠形成体２の他方と乗り越え係合する第二連結手段が備えられている。
【００４９】
具体的には、側面閉塞板７は、図１，２，４に図示したように適宜な合成樹脂製の部材で形成された方形板状体であり、引出しケース５内に収納し得る大きさであって、枠状本体部４の側面開口部６と合致する大きさ及び形状であり、更に、枠状本体部４の側面開口部６を閉塞した際、側面閉塞板７の外表面は支柱１及び上下の枠形成体２夫々の端面（外表面）と面一状態となる形状に設定されている。
【００５０】
第一連結手段は、上下の枠形成体２の一方に設けられた第一側面係止部８に遊嵌係合する第一側面係合部９が側面閉塞板７の上下端部の一方に設けられた構成であり、第一側面係止部８は、上下の枠形成体２同士の互いに対向する側面側内縁部の一方に凹状部若しくは凸状部を設けて構成され、この第一側面係止部８に遊嵌係合する凸状部若しくは凹状部を側面閉塞板７の上下端部の一方に設けて第一側面係合部９は構成されている。
【００５１】
本実施例では、枠形成体２の左右の側面側内縁部の上面前後位置に合計二つの凹状部を設けて第一側面係止部８を構成し、側面閉塞板７の下端部の長さ方向前後位置に合計二つの凸状部を設けて第一側面係合部９を構成している。尚、枠形成体２に第一側面係合部９を設け且つ側面閉塞板７に第一側面係止部８を設けても良い。
【００５２】
尚、側面閉塞板７が枠形成体２に対して傾動回動する構造として、前述した凸と凹の遊嵌係合による構造に限らず、例えば凸の樹脂変形による構造でも良いし、枢着軸を備えたヒンジ構造を設けた構造としても良い。
【００５３】
第二連結手段は、図７，８に図示したように側面閉塞板７の上下端部の他方に設けられた第二側面係止部10と乗り越え係合する第二側面係合部11が上下の枠形成体２の他方に設けられた構成であり、第一連結手段を介して枠形成体２に連結した側面閉塞板７を傾動回動させた際、第二側面係合部11若しくは第二側面係止部10が乗り上がり摺動する上り傾斜部10ａと、この上り傾斜部10ａを乗り越えた際に落ち込み係合する落ち込み部10ｂが第二側面係止部10若しくは第二側面係合部11に設けられている。
【００５４】
本実施例では、側面閉塞板７の上端部に第二側面係止部10が設けられ、枠形成体２の側面部の裏面部に第二側面係合部11が設けられ、この第二側面係合部11は該枠形成体２の周面部に垂設される側壁板の下縁で構成されている。尚、側面閉塞板７に第二側面係合部11を設け且つ枠形成体２に第二側面係止部10を設けても良い。
【００５５】
また、枠形成体２の裏面部には、第二側面係合部11が第二側面係止部10の落ち込み部10ｂに落ち込んだ状態において側面閉塞板７の内面を支持するリブ状の支持部２ｄが設けられている。
【００５６】
また、本実施例は、背面における左右の支柱１と上下の枠形成体２とで囲まれた枠状本体部４の背面開口部12夫々を閉塞する合計三枚の背面閉塞板13が備えられ、上下の枠形成体２の一方に対して背面閉塞板13の上下端部の一方を傾動回動自在に連結する第三連結手段が備えられているとともに、この第三連結手段を介して前記枠形成体２に連結した背面閉塞板13を傾動回動させた際、背面閉塞板13の上下端部の他方が上下の枠形成体２の他方と乗り越え係合する第四連結手段が備えられている。
【００５７】
具体的には、背面閉塞板13は、図２，４に図示したように適宜な合成樹脂製の部材で形成された方形板状体であり、引出しケース５内に収納し得る大きさであって、枠状本体部４の背面開口部12と合致する大きさ及び形状であり、更に、枠状本体部４の背面開口部12を閉塞した際、背面閉塞板13の外表面は支柱１及び上下の枠形成体２夫々の端面（外表面）と面一状態となる形状に設定されている。
【００５８】
第三連結手段は、上下の枠形成体２の一方に設けられた第一背面係止部14に遊嵌係合する第一背面係合部15が背面閉塞板13の上下端部の一方に設けられた構成であり、第一背面係止部14は、上下の枠形成体２同士の互いに対向する側面側内縁部の一方に凹状部若しくは凸状部を設けて構成され、この第一背面係止部14に遊嵌係合する凸状部若しくは凹状部を背面閉塞板13の上下端部の一方に設けて第一背面係合部15は構成されている。
【００５９】
本実施例では、枠形成体２の背面側内縁部の上面左右位置に合計二つの凹状部を設けて第一背面係止部14を構成し、背面閉塞板13の下端部の長さ方向左右位置に合計二つの凸状部を設けて第一背面係合部15を構成している。尚、枠形成体２に第一背面係合部15を設け且つ背面閉塞板13に第一背面係止部14を設けても良い。
【００６０】
尚、背面閉塞板13が枠形成体２に対して傾動回動する構造として、前述した凸と凹の遊嵌係合による構造に限らず、例えば凸の樹脂変形による構造でも良いし、枢着軸を備えたヒンジ構造を設けた構造としても良い。
【００６１】
第四連結手段は、背面閉塞板13の上下端部の他方に設けられた第二背面係止部16と乗り越え係止する第二背面係合部17が上下の枠形成体２の他方に設けられた構成であり、第三連結手段を介して枠形成体２に連結した背面閉塞板13を傾動回動させた際、第二背面係合部17若しくは第二背面係止部16が乗り上がり摺動する上り傾斜部16ａと、この上り傾斜部16ａを乗り越えた際に落ち込み係合する落ち込み部16ｂとが第二背面係止部16若しくは第二背面係合部17に設けられている。
【００６２】
本実施例では、背面閉塞板13の上端部に第二背面係止部16が設けられ、枠形成体２の背面部の裏面部に第二背面係合部17が設けられ、この第二背面係合部17は該枠形成体２の周面部に垂設される背壁板の下縁で構成されている。尚、背面閉塞板13に第二背面係合部17を設け且つ枠形成体２に第二背面係止部16を設けても良い。
【００６３】
また、枠形成体２の裏面部には、第二背面係合部17が第二背面係止部16の落ち込み部16ｂに落ち込んだ状態において背面閉塞板13の内面を支持するリブ状の支持部（図示省略）が設けられている。
【００６４】
符号18は、最下段の枠形成体２の裏面側の差し込み係合部２ａに差し込み連結される脚体である。
【００６５】
引出しケース体５は、図１〜３に図示したように適宜な合成樹脂製の部材で一体成形したものであり、夫々方形板状の正面部５ａ，底面部５ｂ，左右側面部５ｃ・５ｃ及び背面部５ｄとから成り、上部開口部５’を有する箱状体である。
【００６６】
本実施例では、引出しケース５を３つ備えており、枠状本体部４の各引出しケース収納部３夫々に引き出し自在に設けられる。
【００６７】
また、引出しケース５は、正面部５ａに適宜な合成樹脂製の正面化粧板５Ａが嵌め込み係合連結可能に設けられている。この正面化粧板５Ａは引出しケース５内に収納し得る大きさである。
【００６８】
また、引出しケース５同士は、一の引出しケース５の上部開口部５’から他の引出しケース５を入れ子状態（ネスティング状態）に上下に積層し得るように構成されている。
【００６９】
以上の構成から成る本実施例に係る引き出し式収納ケースは、各パーツ（中央開口部２ｂに支柱１が配された状態の枠形成体２，側面閉塞板７，背面閉塞板13，引出しケース５に組み付け前の正面化粧板５Ａ及び脚体18）が分割されたコンパクトな状態にできる。
【００７０】
具体的には、図９，10は組み立て前の状態（出荷時の梱包された状態）を図示しており、中央開口部２ｂに支柱１が配された受板としての三枚の枠形成体２を積層し、この枠形成体２の上部に入れ子状態に上下に積層した三つの引出しケース５が載置され（最上段の引出しケース５には四つの脚体18，六枚の側面閉塞板７，三枚の背面閉塞板13及び一枚の正面化粧板５Ａが収納され、且つ、最上段の引出しケース５の上部開口部５’には二枚の正面化粧板５Ａが架設状態に載置されている。）、この引出しケース５（正面化粧板５Ａ）の上部に、天板としての一枚の枠形成体２が載置され、この状態で梱包用ボックス19（段ボール箱）に収納される。
【００７１】
従って、仮に側面閉塞板７及び背面閉塞板13が本実施例のように別パーツでなく、支柱１や枠形成体２と一体成形の構造の場合、引出しケース５には収納できず梱包する際には嵩張って大きくなってしまう。
【００７２】
この点、本実施例は、側面閉塞板７及び背面閉塞板13を支柱１と別パーツとし且つ引出しケース５内に収納し得る大きさに設定することで前述したようなコンパクトな状態を実現することができ、梱包時にも有用な構造となる。
【００７３】
本実施例は上述のように構成したから、枠状本体部４の側面開口部６を側面閉塞板７で閉塞する場合、第一連結手段を介して下側の枠形成体２に対して側面閉塞板７の下端部を傾動回動自在に連結し、この状態で、枠形成体２に連結した側面閉塞板７を傾動回動（擺動）させた際、第二連結手段を介して側面閉塞板７の上端部が上側の枠形成体２と乗り越え係合する。
【００７４】
つまり、予め上下の枠形成体２を支柱１を介して組み付けておき、この状態で側面閉塞板７を下側の枠形成体２に連結した状態で傾動回動させるだけの動作で、該側面閉塞板７を枠状本体部４の側面開口部６に設けることができ、所謂ワンタッチで迅速且つ確実に枠状本体部４の側面開口部６を側面閉塞板７で閉塞することができる。
【００７５】
従って、引き出し式収納ケースの組み立て作業が極めて迅速且つ良好に行える。
【００７６】
また、本実施例は、枠状本体部４の側面開口部６が側面閉塞板７で閉塞されることで、スッキリとした美感を呈して体裁が良く、しかも、引出しケース収納部３内への埃の侵入を抑制し得るなど、優れた機能を発揮することになる。
【００７７】
また、本実施例は、コンパクトな梱包状態が得られることになり、より一層商品価値の高いものとなる。
【００７８】
尚、本発明は、本実施例に限られるものではなく、各構成要件の具体的構成は適宜設計し得るものである。
【符号の説明】
【００７９】
１  支柱
１ａ  差し込み端部
２  枠形成体
２ａ  差し込み係合部
２ｂ  中央開口部
３  引出しケース収納部
４  枠状本体部
５  引出しケース
５’  上部開口部
６  側面開口部
７  側面閉塞板
８  第一側面係止部
９  第一側面係合部
10  第二側面係止部
10ａ  上り傾斜部
10ｂ  落ち込み部
11  第二側面係合部
12  背面開口部
13  背面閉塞板
14  第一背面係止部
15  第一背面係合部
16  第二背面係止部
16ａ  上り傾斜部
16ｂ  落ち込み部
17  第二背面係合部
【図１】
0006263521.tif 000002
【図２】
0006263521.tif 000003
【図３】
0006263521.tif 000004
【図４】
0006263521.tif 000005
【図５】
0006263521.tif 000006
【図６】
0006263521.tif 000007
【図７】
0006263521.tif 000008
【図８】
0006263521.tif 000009
【図９】
0006263521.tif 000010
【図１０】
0006263521.tif 000011